(57)【要約】      （修正有）【課題】開封されたことが判断可能で、流通過程における商品のバージン性を確保し、かつ、開封後は、容器内と外部を連通する連通孔が設けられるか、あるいは、再封時にロックが可能となる容器を提供する。【解決手段】上方に開口部を有する容器本体１と、開口部を覆う蓋からなる容器１００であって、容器本体１には、本体周壁部１１上方に蓋２と嵌合する嵌合壁１２が設けられ、嵌合壁１２の少なくとも１ヶ所に、上端から設けられた切り欠き部と、切り欠き部の下方には上方に突出する突出部が設けられ、蓋２には、蓋周壁部２１が容器本体１の嵌合壁１２と嵌合するように設けられ、蓋周壁部２１には、突出部と相対する位置に蓋周壁部２１より外方に伸びて下方に向かい更に内方に伸びて断面コの字状に突出する係止部１４と、係止部２２の上端の両側から、上方に向かう易切断線２３が設けられ、係止部２２が突出部を挟み込んで係止する。【選択図】図１
2013199307.tif 000002
【特許請求の範囲】
【請求項１】
上方に開口部を有する容器本体と、前記開口部を覆う蓋からなる容器であって、
前記容器本体には、本体周壁部上方に前記蓋と嵌合する嵌合壁が設けられ、該嵌合壁の少なくとも１ヶ所に、上端から設けられた切り欠き部と、該切り欠き部の下方には上方に突出する突出部が設けられ、前記蓋には、蓋周壁部が前記容器本体の嵌合壁と嵌合するように設けられ、該蓋周壁部には、前記突出部と相対する該蓋周壁部より外方に伸びて下方に向かい更に内方に伸びて断面コの字状に突出する係止部と、該係止部の上端の両側から、上方に向かう易切断線が設けられ、前記係止部が前記突出部を挟み込んで係止できるようになっていることを特徴とする容器。
【請求項２】
前記係止部の内方に伸びる部分の下面が先端部に向かって斜め上方に傾斜していることを特徴とする請求項１に記載の容器。
【請求項３】
前記易切断線の上端を結ぶヒンジ部が設けられていることを特徴とする請求項１または２に記載の容器。
【請求項４】
前記容器本体の本体周壁部と嵌合壁の間に、外方に突出する蓋止め用の環状突起部が設けられ、該環状突起部と上方に突出する突出部とが連続して設けられていることを特徴とする請求項１から３のいずれか１項に記載の容器。
【発明の詳細な説明】
【技術分野】
【０００１】
本発明は、容器に関するものである。
【背景技術】
【０００２】
従来から、ペースト状のバターやマーガリンなどを収容する、開口部の上周部が楕円形、円形状、又は、角を丸めた長方形、正方形状で、カップ状などの容器本体と、容器本体の開口部を覆うように被せる蓋とからなる容器が、一般に広く用いられ、この容器には、バターナイフやスプーンなどの中身を取り出すための食具が外に突き出た状態で蓋ができるようになっているものが多い。
【０００３】
たとえば、容器本体の開口縁の筒状嵌合壁の一側と、蓋の下縁の筒状嵌合壁の一側に、協同してバターナイフの柄杆を挿通する開口部となる為の切欠部が互いに対向して形成してあり、完全閉蓋時には、両切欠部による開口部が形成されることなく閉塞され、蓋を閉塞状態のまま浮上させた時には両切欠部による開口部が、バターナイフの柄杆を挿通できる大きさに形成されるバター容器がある（特許文献１）。
【０００４】
また、充填・密封工程で容器本体に蓋を被せるときに、嵌合精度が高いと空気が逃げられず、急速に行うことができないので、空気が逃げるように、容器本体と蓋の嵌合部の隙間を、初期においては広くして、内部の残留空気を逃げ易くし、蓋が密封状態に近づくに従って、その隙間を容器内の残留空気の量に応じて次第に狭くするとともに、途中の過程で瞬間的に隙間を拡大し、−気に残留空気にはき出すように構成して、最終的に密封するようにした容器もある（特許文献２）。
【０００５】
一方、バターナイフを挿入する切欠部を形成できると共に容器本体にフィルム状の中蓋をシールできるようにした容器がある。この容器は、容器本体の上方開口部に、側壁上端から水平部分及び下向き部分が順次連設されてなる内側係合縁が周設され、蓋体の下縁に容器本体における内側係合縁の水平部分に当接する段部分と内側係合縁の下向き部分に外側から係合する延長部分とが順次連設された外側係合縁が周設され、蓋体の一部に延長部分から段部分を通って上方に至るナイフ挿入用の薄肉破断部が設けられている（特許文献３）。
【０００６】
公知文献を以下に示す。
【先行技術文献】
【特許文献】
【０００７】
【特許文献１】実公平３−５６５５５号公報
【特許文献２】実公平４−４９０９２号公報
【特許文献３】実開平４−１００４５２号公報
【発明の概要】
【発明が解決しようとする課題】
【０００８】
これらの容器においては、多くの場合、外装となる外箱に収納されて販売されている。これは、これらの容器をそのまま外装無しで販売すると、流通過程において簡単に開けられて、いたずらされたり、あるいは、容器の内側が汚れてしまったりする恐れがあるためである。
【０００９】
本発明は上記した事情に鑑みてなされたもので、開封されたことが外観から明確に判断
可能で、流通過程における商品のバージン性を確保し、かつ、開封後は、容器内と外部を連通する連通孔が設けられるか、あるいは、再封時にロックが可能となる容器を提供することを課題としている。
【課題を解決するための手段】
【００１０】
本発明の請求項１に係る発明は、上方に開口部を有する容器本体と、前記開口部を覆う蓋からなる容器であって、
前記容器本体には、本体周壁部上方に前記蓋と嵌合する嵌合壁が設けられ、該嵌合壁の少なくとも１ヶ所に、上端から設けられた切り欠き部と、該切り欠き部の下方には上方に突出する突出部が設けられ、前記蓋には、蓋周壁部が前記容器本体の嵌合壁と嵌合するように設けられ、該蓋周壁部には、前記突出部と相対する該蓋周壁部より外方に伸びて下方に向かい更に内方に伸びて断面コの字状に突出する係止部と、該係止部の上端の両側から、上方に向かう易切断線が設けられ、前記係止部が前記突出部を挟み込んで係止できるようになっていることを特徴とする容器である。
【００１１】
本発明の容器は、以上のような構成であって、係止部が前記突出部を挟み込んで係止していて、開封するには、易切断線を切らないと開けらず、開封すれば易切断線が切られているので、外観から開封されたことが明確にわかる。
【００１２】
また、開封後は係止部を上に上げれば、容器本体の切り欠き部が、見えるようになって、連通孔となり、バターナイフなどの食具の先端部分を容器内にして、連通孔を通して反対側が外になるようにした状態で蓋をすることができる。また、係止部を下げて突出部を挟み込んで係止すれば、ロックされて簡単に容器本体から蓋が外れることがなくなり、また、容器本体の嵌合壁と蓋周壁部も動かなくなり密封性も高まる。
【００１３】
本発明の請求項２に係る発明は、前記係止部の内方に伸びる部分の下面が先端部に向かって斜め上方に傾斜していることを特徴とする請求項１に記載の容器である。
【００１４】
本発明の容器は、係止部の内方に伸びる部分の下面が先端部に向かって上に傾斜しているので、充填・密封工程で容器本体に蓋を被せるときに、易切断線が切れることもなく無理なく被せることができ、また、蓋が変形して、容器内の空気を逃がすことができ、迅速に蓋をすることができる。
【００１５】
本発明の請求項３に係る発明は、前記易切断線の上端を結ぶヒンジ部が設けられていることを特徴とする請求項１または２に記載の容器である。
【００１６】
本発明の容器は、易切断線の上端を結ぶヒンジ部が設けられているので、係止部を持ち上げて、易切断線を切断し、突出部との係止を外すときに、ヒンジ部から曲がるので、余分な力が必要とせず、容易に外すことができる。また、係止するときも、ヒンジ部前後を平らになるようにして、容易に係止することができる。
【００１７】
さらには、開封後、バターナイフなどの食具の先端部分を容器内にして、連通孔を通して反対側が外になるようにした状態で蓋をする場合、ヒンジ部から曲げて係止部を上に上げたままにすることができる。
【００１８】
本発明の請求項４に係る発明は、前記容器本体の本体周壁部と嵌合壁の間に、外方に突出する蓋止め用の環状突起部が設けられ、該環状突起部と上方に突出する突出部とが連続して設けられていることを特徴とする請求項１から３のいずれか１項に記載の容器である。
【００１９】
本発明の容器は、蓋止め用の環状突起部が設けられているので、蓋を容器本体の所定の位置まで、被せることができる。また、環状突起部と外方に突出する突出部とが連続して設けられているので、突出部が環状突起部により支えられ、突出部が曲がって係止部が外れてしまうことがない。
【発明の効果】
【００２０】
本発明の容器は、開封されたことが外観から明確に判断可能で、流通過程における商品のバージン性を確保できる。更に、開封後は、容器内と外部を連通する連通孔が設けられるか、あるいは、再封時に容器本体と蓋をロックすることが可能である。
【図面の簡単な説明】
【００２１】
【図１】本発明の容器の一例を示した説明図である。
【図２】（Ａ）本発明の容器の一例の蓋の係止部の周辺の部分拡大図である。（Ｂ）本発明の容器の一例の蓋の係止部を別の角度から見た説明図である。（Ｃ）本発明の容器の一例の容器本体の突出部の周辺の部分拡大図である。
【図３】本発明の容器の一例の容器の係止部が突出部に係止した部分の拡大図である。
【図４】本発明の容器の他の例を示した説明図である。
【００２２】
以下本発明を実施するための形態につき説明する。
図１は、本発明の容器の一例を示した説明図、図２（Ａ）は、本発明の容器の一例の蓋の係止部の周辺の部分拡大図、（Ｂ）は、本発明の容器の一例の蓋の係止部を別の角度から見た説明図、（Ｃ）は、本発明の容器の一例の容器本体の突出部の周辺の部分拡大図、図３は、本発明の容器の一例の容器の係止部が突出部に係止した部分の拡大図である。
【００２３】
本例の容器１００は、図１のように、上方に楕円状の開口部を有する容器本体１と、前記開口部を覆う蓋２からなる構成されている。
【００２４】
容器本体１には、本体周壁部１１と、本体周壁部１１の上方に、蓋２と嵌合する嵌合壁１２が周状に設けられ、嵌合壁１２には、図２（Ｃ）の部分拡大図のように、少なくとも１ヶ所に、上端から設けられた切り欠き部１３と、切り欠き部１３の下方には上方に突出する突出部１４が設けられている。
【００２５】
また、容器本体１には、本体周壁部１１と嵌合壁１２の間に、外方に突出する蓋止め用の環状突起部１５が設けられている。蓋２を被せたときに、蓋２は環状突起部１５に当たる位置まで嵌合壁１２に嵌合するようになっている。
【００２６】
また、環状突起部１５は突出部１４と連続して外側に突出して設けられている。このような構造にしてあるので、突出部１４が環状突起部１５により支えられ、突出部１４が曲がって係止部２２が外れてしまうことがない。
【００２７】
蓋２には、蓋周壁部２１が設けられ、容器本体１の嵌合壁１２と嵌合するようになっている。蓋周壁部２１には、図２（Ａ）の部分拡大図のように、少なくとも１ヶ所に、突出部１４と相対する位置に、蓋周壁部２１より外方に伸びて下方に向かい、更に内方に伸びて断面コの字状に突出する係止部２２が設けられている。
【００２８】
係止部２２を別の角度から見た図２（Ｂ）のように、本例では係止部２２は、リブ構造で設けられている。本容器１００は薄肉容器であり、この係止部２２を縦リブ構造にすることによって、成形サイクルを短くし生産効率を向上させることができる。
【００２９】
また、係止部２２の上端の両側から、上方に向かう２本の易切断線２３が設けられてい
る。そして、図３の部分拡大図のように、容器本体１に蓋２をした状態で、係止部２２が突出部１４を挟み込んで係止されている。
【００３０】
そして、このとき、容器本体１の切り欠き部１３は、２本の易切断線２３の間の蓋周壁部２１の内側に重なって、見えないようになっている。易切断線２３は、蓋周壁部２１より肉厚を薄くした薄肉溝として設けられている。この溝は外側から入れても良いし、内側から入れてもよく、両面から入れても良い。
【００３１】
さらに、蓋周壁部２１には２本の易切断線２３の上端を結ぶように、ヒンジ部２４が設けられている。このヒンジ部２４により、容器１００を開封するときに、係止部２２を持ち上げて、易切断線２３を切断し、突出部１４との係止を外すときに、ヒンジ部２４から曲がるので、余分な力が必要とせず、容易に外すことができる。また、係止するときも、ヒンジ部２４があるので容易に係止することができる。
【００３２】
さらには、ヒンジ部２４から曲げて係止部２２を上に上げたままにすることによって、容器本体１の切り欠き部１３と連通させて連通孔とし、開封後、バターナイフなどの食具の先端部分を容器内にして、連通孔を通して、食具の反対側を外になるようにした状態で蓋をすることができる。
【００３３】
ヒンジ部２４は、易切断線２３と同様に、蓋周壁部２１より肉厚を薄くした薄肉溝として設けても良い。この場合は、溝は外側からのみ入れるよりは、内側から入れるのがよく、また、両面から入れても良い。また、ヒンジ部２４は、蓋周壁部２１を外側または内側に線状に出っ張らせて設けても良い。
【００３４】
係止部２２の内方に伸びる係止突出部２２ａの下面は、容器本体１側の先端部に向かって斜め上方に傾斜している。これによって、充填・密封工程で容器本体１に蓋２を被せるときに、易切断線２３が切れることもなく無理なく被せることができる。また、蓋２が変形して、容器内の空気を逃がすことができ、迅速に蓋をすることができる。
【００３５】
一方、係止部２２の内方に伸びる係止突出部２２ａの上面も、容器本体１側の先端部に向かって斜め下方に傾斜している。これによって、突出部１４に係止部２２を係止するときや、突出部１４から係止部２２を外すときに、係止部２２はヒンジ部２４を中心とした円弧を描くように動くので、係止突出部２２ａの上面の傾斜によって、この動きを滑らかにしている。
【００３６】
尚、本例では、容器本体１の切り欠き部１３、突出部１４、および、蓋２の係止部２２、易切断線２３、ヒンジ部２４は、容器の図では見えない反対側にも設けられている。しかし本発明においては必ずしも、同じ構造を容器の反対側に設けなくても良い。易切断線２３とヒンジ部２４を容器の反対側には設けず、突出部１４と係止部２２で係止して止まっているだけでも良い。また、他の構造で引っ掛けて係止されていても良い。
【００３７】
また、蓋周壁部２１の下端には、外側に曲がって設けられた下端縁部２５が設けられ、容器本体１に蓋２を被せたときに、下端縁部２５が環状突起部１５に当たり、この当たる位置まで、蓋周壁部２１が容器本体１の嵌合壁１２が嵌合して、ずれることなく、安定するようになっている。
【００３８】
尚、蓋２には、更に係止部２２と異なる、容器の幅の狭い位置に、容器本体１から蓋２を外すときに、指が掛かりやすくするための指掛り部２６が、蓋周壁部２１に対向して２つ設けられている。指掛り部２６は蓋周壁部２１に下端からの切り欠きを設け、切り欠きの上端に外に張り出した庇状の張り出し部を設け、切り欠きの両側に庇状の張り出し部に
連続して、上側が張り出しを大きく、下側が小さくなって蓋周壁部２１と同平面になる側部張り出し部からなっている。
【００３９】
この容器１００の容器本体１や蓋２を構成する樹脂には、１９０℃で測定したときのメルトインデックス（ＪＩＳ−Ｋ７２１０）が３０ｇ／１０ｍｉｎ以上のポリプロピレンやポリエチレンの単体またはそれらの混合物が好ましく用いられる。また、この容器１００の容器本体１や蓋２の製造はインジェクション成形によって行うことができる。
【００４０】
このような樹脂を用いることで、充填・密封工程で容器本体１に蓋２をしたり、あるいは、突出部１４と係止片２の係止したりや外したりするときに変形して、それらをスムーズに行うことができる。
【００４１】
このようにして製造された容器１００は、食品工場などの充填・密封工程で容器本体１に食品を充填され、蓋２の蓋周壁部２１が容器本体１の嵌合壁１２の外側になるように被せられる。
【００４２】
このとき、係止部２２は突出部１４に当たるが、係止部２２の内方に伸びる係止突出部２２ａの下面が先端部に向かって斜め上方に傾斜していることと、容器本体１や蓋２を構成する樹脂が変形しやすいことから、蓋２が係止部２２で押されて広がり、また容器本体１も係止部２２が押すことで狭まり、易切断線２３が切れることもなく無理なくスムーズに被せることができる。また、この変形により容器内の空気を逃がすことができ、迅速に蓋をすることができる。
【００４３】
このように、易切断線２３が切れずに係止部２２が突出部１４を挟み込んで係止されているので、開封されていないことが外観から確認でき、外装を用いなくとも流通過程において、簡単に開けられて、いたずらされたり、あるいは、容器の内側が汚れてしまったりする恐れがなく、バージン性を確保することができる。
【００４４】
また、容器本体１には、環状突起部１５と外方に突出する突出部１４とが連続して設けられているので、突出部１４が環状突起部１５により支えられ、突出部１４が曲がって係止部２２が外れてしまうことがない。
【００４５】
消費者が、食品が充填され密封された容器１００を開くときは、係止部２２を持ち上げて、易切断線２３を切断し、係止部２２と突出部１４との係止を外して、蓋２の両側についている指掛り部２６が指にかかるようにして蓋２を持って持ち上げれば、開封することができ、容器１００内の食品を取り出すことができる。
【００４６】
このとき、易切断線２３の上端を結ぶヒンジ部２４が設けられているので、ヒンジ部２４から曲がり、余分な力が必要とせず、容易に突出部１４から係止部２２を外すことができる。
【００４７】
使用後、再度蓋２をする場合で、バターナイフなどの食具の先端部分を容器内にして、蓋をすることには、係止部２２を突出部１４に係止せずに、上方に上げたままにする。このときヒンジ部２４からまげられているので容易に係止部２２をあげたままにすることができる。
【００４８】
そうすると、容器本体１に設けられた切り欠き部１３が２本の易切断線２３の間の蓋周壁部２１で隠れず、連通孔となるので、連通孔を通して食具の反対側が外になるようにした状態で蓋をすることができる。
【００４９】
また、食具を入れずに蓋をするときは、係止部２２を下げて突出部１４を挟み込んで係止すれば、ロックされて簡単に容器本体１から蓋２が外れることがなくなる。さらには、切り欠き部１３は２本の易切断線２３の間の蓋周壁部２１で塞がれ、また、容器本体１の嵌合壁１２と蓋周壁部２１も動かなくなり密封性も高まる。そして、係止するために、係止部２２を下げるときも、ヒンジ部２４で曲がっていたので、たやすく下げることができる。
【００５０】
容器本体１に蓋２を被せるときに、容器本体１には、蓋止め用の環状突起部１５が設けられているので、蓋２を容器本体１の所定の位置まで、被せることができる。
【００５１】
本例では、上方の開口部が楕円状の容器本体１からなる容器１００について説明したが、本発明の容器は、上方の開口部が楕円状に限ることなく、図４のような角を丸めた長方形状の開口部を有する容器本体からなる容器２００であっても良い。また、開口部の形状が円形状や長円形状、あるいは、角を丸めた正方形状の容器本体１からなる容器であってもよい。
【００５２】
本発明の他の例の容器２００は、図４のように、上方に角を丸めた長方形状の開口部を有する容器本体１と、前記開口部を覆う蓋２からなる構成されている。
【００５３】
容器本体１には、容器１００と同様に、本体周壁部１１と、本体周壁部１１の上方に、蓋２と嵌合する嵌合壁１２が設けられ、嵌合壁１２には、図２（Ｃ）の部分拡大図のように、上端から設けられた切り欠き部１３と、切り欠き部１３の下方には外方に突出する突出部１４が設けられている。
【００５４】
また、容器本体１には、本体周壁部１１と嵌合壁１２の間に、外方に突出する蓋止め用の環状突起部１５が設けられている。蓋２を被せたときに、蓋２は環状突起部１５に当たる位置まで嵌合壁１２に嵌合するようになっている。
【００５５】
また、環状突起部１５は突出部１４と連続して外側に突出して設けられている。このような構造にしてあるので、突出部１４が環状突起部１５により支えられ、突出部１４が曲がって係止部２２が外れてしまうことがない。
【００５６】
蓋２には、蓋周壁部２１が設けられ、容器本体１の嵌合壁１２と嵌合するようになっている。蓋周壁部２１には、図２（Ａ）の部分拡大図のように、蓋周壁部２１より外方に伸びて下方に向かい、更に内方に伸びて断面コの字状に突出する係止部２２が設けられている。
【００５７】
係止部２２を別の角度から見た図２（Ｂ）のように、本例では係止部２２は、リブ構造で設けられている。本容器２００は薄肉容器であり、この係止部２２を縦リブ構造にすることによって、成形サイクルを短くし生産効率を向上させることができる。
【００５８】
また、係止部２２の上端の両側から、上方に向かう２本の易切断線２３が設けられている。そして、図３の部分拡大図のように、容器本体１に蓋２をした状態で、係止部２２が突出部１４を挟み込んで係止されている。
【００５９】
そして、このとき、容器本体１の切り欠き部１３は、２本の易切断線２３の間の蓋周壁部２１の内側に重なって、見えないようになっている。易切断線２３は、蓋周壁部２１より肉厚を薄くした薄肉溝として設けられている。この溝は外側から入れても良いし、内側から入れてもよく、両面から入れても良い。
【００６０】
さらに、蓋周壁部２１には２本の易切断線２３の上端を結ぶように、ヒンジ部２４が設けられている。このヒンジ部２４により、容器２００を開封するときに、係止部２２を持ち上げて、易切断線２３を切断し、突出部１４との係止を外すときに、ヒンジ部２４から曲がるので、余分な力が必要とせず、容易に外すことができる。また、係止するときも、ヒンジ部２４があるので容易に係止することができる。
【００６１】
さらには、ヒンジ部２４から曲げて係止部２２を上に上げたままにすることによって、容器本体１の切り欠き部１３と連通させて連通孔とし、開封後、バターナイフなどの食具の先端部分を容器内にして、連通孔を通して、食具の反対側を外になるようにした状態で蓋をすることができる。
【００６２】
ヒンジ部２４は、易切断線２３と同様に、蓋周壁部２１より肉厚を薄くした薄肉溝として設けても良い。この場合は、溝は外側からのみ入れるよりは、内側から入れるのがよく、また、両面から入れても良い。また、ヒンジ部２４は、蓋周壁部２１を外側または内側に線状に出っ張らせて設けても良い。
【００６３】
係止部２２の内方に伸びる係止突出部２２ａの下面は、容器本体１側の先端部に向かって下に傾斜している。これによって、充填・密封工程で容器本体１に蓋２を被せるときに、易切断線２３が切れることもなく無理なく被せることができる。また、蓋２が変形して、容器内の空気を逃がすことができ、迅速に蓋をすることができる。
【００６４】
係止部２２の内方に伸びる係止突出部２２ａの上面も、容器本体１側の先端部に向かって上に傾斜している。これによって、突出部１４に係止部２２を係止するときや、突出部１４から係止部２２を外すときに、係止部２２はヒンジ部２４を中心とした円弧を描くように動くので、係止突出部２２ａの上面の傾斜によって、この動きを滑らかにしている。
【００６５】
尚、容器２００に於いても、容器１００と同様に、容器本体１の切り欠き部１３、突出部１４、および、蓋２の係止部２２、易切断線２３、ヒンジ部２４は、図４では見えない反対側にも設けられている。しかし本発明においては必ずしも、同じ構造を容器の反対側に設けなくても良い。易切断線２３とヒンジ部２４を容器の反対側には設けず、突出部１４と係止部２２で係止して止まっているだけでも良い。また、他の構造で引っ掛けて係止されていても良い。
【００６６】
また、蓋周壁部２１の下端には、外側に曲がって設けられた下端縁部２５が設けられ、容器本体１に蓋２を被せたときに、下端縁部２５が環状突起部１５に当たり、この当たる位置まで、蓋周壁部２１が容器本体１の嵌合壁１２が嵌合して、ずれることなく、安定するようになっている。
【００６７】
尚、蓋２には、更に係止部２２と異なる、容器の幅の狭い位置に、容器本体１から蓋２を外すときに、指が掛かりやすくするための指掛り部２６が、蓋周壁部２１に対向して２つ設けられている。指掛り部２６は蓋周壁部２１に下端からの切り欠きを設け、切り欠きの上端に外に張り出した庇状の張り出し部を設け、切り欠きの両側に庇状の張り出し部に連続して、上側が張り出しを大きく、下側が小さくなって蓋周壁部２１と同平面になる側部張り出し部からなっている。
【００６８】
本発明の容器に収納する食品は、バターやマーガリン、あるいは、ピーナッツバターやジャムなどが好ましい。また、煮豆や佃煮などの惣菜類などにも向いている。さらには、電子レンジ調理食品の容器としてもバージン性があり、使い勝手が良い。
【００６９】
以上のように、本発明の容器は、開封されたことが外観から明確に判断可能で、流通過
程における商品のバージン性を確保できる。さらに、開封後は、容器内と外部を連通する連通孔が設けられ、バターナイフなどの食具の先端部分を容器内にして連通孔を通して食具の反対側が外になるようにした状態で蓋２を被せることができる。
【００７０】
あるいは、食具を入れずに蓋２を被せるときは、係止部２２を下げて突出部１４を挟み込んで係止すれば、ロックされて簡単に容器本体から蓋２が外れることがなくなり、また、切り欠き部１３が２本の易切断線２３の間の蓋周壁部２１で塞がれ、また、容器本体１の嵌合壁１２と蓋周壁部２１も動かなくなり密封性も高まる。
【符号の説明】
【００７１】
１００、２００・・・容器
１・・・容器本体
１１・・・本体周壁部
１２・・・嵌合壁
１３・・・切り欠き部
１４・・・突出部
１５・・・環状突起部
２・・・蓋
２１・・・蓋周壁部
２２・・・係止部
２２ａ・・・係止突出部
２３・・・易切断線
２４・・・ヒンジ部
２５・・・下端縁部
２６・・・指掛り部
【図１】
2013199307.tif 000003
【図２】
2013199307.tif 000004
【図３】
2013199307.tif 000005
【図４】
2013199307.tif 000006